(57)【要約】【課題】アンチパスバック機能を、入退室の際の入力操作に制約が少なく、簡単な操作により実現する入退室管理システムを提供する。【解決手段】コンピュータを設けた入退室管理装置２０が利用者の携帯電話器ＴＥＬから公衆網３０を介して入力される解錠ドア指定情報を伴う解錠要求に従って指定されたドアを解錠する入退室管理システムにおいて、アンチパスバック機能を持たせるために、利用者所在記憶手段２４に入退室による利用者の所在を逐次記憶すると共に、利用者検出手段ＳＮ２ＩＮ、ＳＮ２ＯＵＴで利用者が実際には指定したドアが設けられた部屋の外にいるのか中にいるのかを検出し、記憶されている該利用者の所在と検出された該利用者の所在が一致した時に解錠信号発生手段２１からの解錠信号ＯＰＩＮＳ、ＯＰＯＵＴＳにより該ドアの電気錠ＥＫＮ２が解錠されるものとする。【選択図】図２
2006161473.tif 000002
【特許請求の範囲】
【請求項１】
コンピュータを設けた入退室管理装置が利用者の携帯電話器から公衆網を介して入力される解錠ドア指定情報を伴う解錠要求に従って指定されたドアを解錠する入退室管理システムにおいて、アンチパスバック機能を持たせるために、利用者所在記憶手段に入退室による利用者の所在を逐次記憶すると共に、利用者検出手段で利用者が実際には指定したドアが設けられた部屋の外にいるのか中にいるのかを検出し、記憶されている該利用者の所在と検出された該利用者の所在が一致した時に解錠信号発生手段からの解錠信号により該ドアの電気錠が解錠されることを特徴とする入退室管理システム。
【請求項２】
上記解錠要求が入力された時にこれに伴う上記解錠ドア指定情報に従って解錠するドアを判定する解錠ドア判定手段と、
入退室による利用者の所在を逐次記憶する上記利用者所在記憶手段と、
上記解錠ドア判定手段で判定されたドアの電気錠の解錠のために、上記利用者所在記憶手段の記憶に基づき、該利用者が指定したドアが設けられた部屋の外にいる時に入室用解錠信号を発生し、上記部屋の中にいる時に退室用解錠信号を発生する上記解錠信号発生手段と、
上記入室用解錠信号または退室用解錠信号発生時に、該利用者が実際に指定したドアが設けられた部屋の外にいるのか中にいるのかを検出し、部屋の外にいる時に上記入室用解錠信号を、部屋の中にいる時に上記退室用解錠信号をそれぞれ該ドアの電気錠に入力する上記利用者検出手段と、
上記入室用解錠信号または退室用解錠信号を発生した後にこれらが電気錠に入力され該電気錠が解錠されてそのドアが戸開したことを示す戸開検出信号を得たことで、該利用者の所在の変更を認知して上記利用者所在記憶手段の記憶内容を書き換える利用者所在記憶書換手段と、
を備えたことを特徴とする請求項１に記載の入退室管理システム。
【請求項３】
上記解錠要求が入力された時にこれに伴う上記解錠ドア指定情報に従って解錠するドアを判定する解錠ドア判定手段と、
入退室による利用者の所在を逐次記憶する上記利用者所在記憶手段と、
上記解錠要求を入力した利用者が実際に指定したドアが設けられた部屋の外にいるのか中にいるのかを検出する上記利用者検出手段と、
上記解錠ドア判定手段で判定されたドアの電気錠の解錠のために、上記利用者検出手段で検出された利用者の所在と上記利用者所在記憶手段の記憶が一致した時に、該ドアの電気錠に対して解錠信号を発生する上記解錠信号発生手段と、
上記解錠信号を発生した後にこれらが電気錠に入力され該電気錠が解錠されてそのドアが戸開したことを示す戸開検出信号を得たことで、該利用者の所在の変更を認知して上記利用者所在記憶手段の記憶内容を書き換える利用者所在記憶書換手段と、
を備えたことを特徴とする請求項１に記載の入退室管理システム。
【請求項４】
上記入退室管理装置が電話機能を有し、各ドアに異なる電話番号がそれぞれに割り振られており、上記解錠ドア判定手段が上記携帯電話器から掛けられた電話番号から解錠するドアを判定することを特徴とする請求項２又は３に記載の入退室管理システム。
【請求項５】
上記入退室管理装置が電話機能を有し、各ドアに異なるドア番号がそれぞれに割り振られており、上記解錠ドア判定手段が上記携帯電話器から入力されるドア番号から解錠するドアを判定することを特徴とする請求項２又は３に記載の入退室管理システム。
【請求項６】
上記入退室管理装置がインターネット機能を有し、各ドアに異なるＵＲＬがそれぞれに割り振られており、上記解錠ドア判定手段が上記携帯電話器からアクセスされるＵＲＬから解錠するドアを判定することを特徴とする請求項２又は３に記載の入退室管理システム。
【請求項７】
上記入退室管理装置がインターネット機能を有すると共にインターネット上に本システムのためのホームページを設け、解錠要求のために上記公衆網を介して上記ホームページにアクセスしてきた上記携帯電話器にイラストマップを表示して該イラストマップ上に解錠するドアの指定の入力をさせる解錠ドア指定情報入力要求手段をさらに備えたことを特徴とする請求項２又は３に記載の入退室管理システム。
【請求項８】
上記利用者検出手段が、ドア付近の部屋の外側と内側のそれぞれに設けられて利用者に操作されるスイッチを含むことを特徴とする請求項２ないし７のいずれか１項に記載の入退室管理システム。
【請求項９】
上記利用者検出手段が、ドア付近の部屋の外側と内側のそれぞれに設けられた人検知センサを含むことを特徴とする請求項２ないし７のいずれか１項に記載の入退室管理システム。
【請求項１０】
部屋に複数のドアが設けられ、各部屋に設けられたドアを記憶するドア／部屋対応情報記憶手段をさらに備え、上記利用者所在記憶書換手段が上記ドア／部屋対応情報記憶手段のドアと部屋との対応に基づき利用者が居る部屋を判定して上記利用者所在記憶手段の記憶内容を書き換えることを特徴とする請求項２又は３に記載の入退室管理システム。
【発明の詳細な説明】
【技術分野】
【０００１】
この発明は、入退室管理システム、特に携帯電話器を使用したアンチパスバック機能を実現するものに関する。
【背景技術】
【０００２】
従来、ブルートゥース技術等による近距離無線による通信を利用して、携帯電話器からの個人識別情報の無線送信を送受信手段が受信して、この個人識別情報の無線送信に基づいて暗証番号発生手段がランダムな暗証番号を発生し、この発生された暗証番号を送受信手段を介して携帯電話器へ無線送信し、この無線送信された暗証番号を携帯電話器の表示手段で表示し、通行者は表示された暗証番号をテンキー等を備えた入力手段で入力し、この入力された暗証番号と上記生成された暗証番号とが一致するか否かによってゲートの開閉を制御する入退室管理システムがあった(例えば特許文献１参照)。
【０００３】
【特許文献１】特開２００２−２１３１２６号公報
【発明の開示】
【発明が解決しようとする課題】
【０００４】
上記の入退室管理システムでは、携帯電話器の表示画面に表示された暗証番号を建物側に据え付けられているテンキー等を備えた入力装置により入力しなければならず、操作に大きな制約がありかつ煩雑であった。また、通行履歴を記憶しているものの、入室と退室を交互に繰り返さないとエラーとなるいわゆるアンチパスバック機能を備えておらず、セキュリティの向上が望まれる。
【０００５】
この発明は、上記のような課題を解消するためになされたもので、アンチパスバック機能を、入退室の際の入力操作に制約が少なく、簡単な操作により実現する入退室管理システムを提供することを目的とする。
【課題を解決するための手段】
【０００６】
この発明は、コンピュータを設けた入退室管理装置が利用者の携帯電話器から公衆網を介して入力される解錠ドア指定情報を伴う解錠要求に従って指定されたドアを解錠する入退室管理システムにおいて、アンチパスバック機能を持たせるために、利用者所在記憶手段に入退室による利用者の所在を逐次記憶すると共に、利用者検出手段で利用者が実際には指定したドアが設けられた部屋の外にいるのか中にいるのかを検出し、記憶されている該利用者の所在と検出された該利用者の所在が一致した時に解錠信号発生手段からの解錠信号により該ドアの電気錠が解錠されることを特徴とする入退室管理システムにある。
【発明の効果】
【０００７】
この発明では、アンチパスバック機能を、入退室の際の入力操作に制約が少なく、簡単な操作により実現できる。
【発明を実施するための最良の形態】
【０００８】
実施の形態１．
図１はこの発明の入退室管理システムを設置した建物内の構成の一例を示すもので、例えばＮ階部分の構成を示す。通路１４の右手には２つの部屋Ｎ１、Ｎ２がある(例えばＮ１はＮ階の１号室の意味)。これらの部屋Ｎ１、Ｎ２のドアＤＮ１、ＤＮ２には電気錠ＥＫＮ１、ＥＫＮ２が設けられている。そして特に部屋Ｎ２はアンチパスバック(以下ＡＰＢ機能と略す)機能によるより厳重なセキュリティが掛けられた部屋であり、ドアＤＮ２付近の部屋の外側と内側には、入室又は退室する利用者が操作する入室側スイッチＳＮ２ＩＮ、退室側スイッチＳＮ２ＯＵＴがそれぞれ取り付けられている。通路１４の左手には階段１１、エレベータ１２、トイレ１３等があるが、これらはこの発明には直接関係ない。またその他の階床の部屋も、ここでは部屋Ｎ１に示すような電気錠だけを備えたドアが設けられているものとする(ＡＰＢ機能付きの部屋にする場合には、部屋Ｎ２と同様の構造にする)。
【０００９】
図２はこの発明の一実施の形態による入退室管理システムの構成を示す図である。入退室管理装置２０は、例えば図１に示す建物の所望の場所(この建物内に限定されないが)に設けられシステムの制御を行う装置である。制御手段２１は、コンピュータ機能２１ａ、電話機能２１ｂを備えたコンピュータ等で構成されたもので、システム全体の制御を行う。入退室管理情報記憶手段２４は後述する各入退室管理のための情報を記憶するメモリからなる。
【００１０】
入出力インターフェース２２は、制御手段２１と建物内の各ドアＤ１１〜ＤＮ２の電気錠ＥＫ１１〜ＥＫＮ２との間のインターフェースである。部屋Ｎ２以外のＡＰＢ機能のない部屋１１〜Ｎ１のドアＤ１１〜ＤＮ１の電気錠ＥＫ１１〜ＥＫＮ１には信号線ＳＬが接続され、解錠の際、解錠信号ＯＰＳが出力される。部屋Ｎ２の場合は、これのドアＤＮ２の電気錠ＥＫＮ２には例えば入室用信号線ＳＬＩＮと退室用信号線ＳＬＯＵＴが接続され、利用者の所在すなわち利用者が解錠前に部屋Ｎ２内にいるか否かを判定し、部屋Ｎ２内にいない場合には入室用信号線ＳＬＩＮから入室用解錠信号ＯＰＩＮＳが出力され、部屋Ｎ２内にいる場合には退室用信号線ＳＬＯＵＴから退室用解錠信号ＯＰＯＵＴＳが出力される。そして入室用信号線ＳＬＩＮ、退室用信号線ＳＬＯＵＴには図１の入室側スイッチＳＮ２ＩＮ、退室側スイッチＳＮ２ＯＵＴがそれぞれ挿入されていて、例えば利用者の操作によりこれらのスイッチがＯＮされると、電気錠ＥＫＮ２に解錠信号が送られる。
【００１１】
公衆網インターフェース２３は制御手段２１と無線電話回線やインターネットを含む公衆網３０との間のインターフェースであり、利用者の携帯電話器ＴＥＬ１〜ＴＥＬｎからの入退室の要求を受ける。なお携帯電話器ＴＥＬ１〜ＴＥＬｎは無線電話回線を使用する携帯可能な電話器で、簡易型携帯電話器(ＰＨＳ:Personal Handyphon System)も含む。なお、制御手段２１のインターネット機能２１ｃおよびＷＷＷサーバ２５については後述する。
【００１２】
図３には、入退室管理情報記憶手段２４に格納された各種入退室管理用の情報の例を示す。図３の(ａ)は個人認証・入退室許可情報、(ｂ)はドア指定情報、(ｃ)は利用者所在情報、(ｄ)はドア／部屋対応情報である。
【００１３】
なお、解錠ドア判定手段、解錠信号発生手段、利用者所在記憶書換手段、解錠ドア指定情報入力要求手段は制御手段２１で構成され、利用者所在記憶手段、ドア／部屋対応情報記憶手段は入退室管理情報記憶手段２４で構成され、利用者検出手段は入室側スイッチＳＮ２ＩＮ、退室側スイッチＳＮ２ＯＵＴで構成される。
【００１４】
次に上記のように構成されたこの実施の形態に係わる入退室管理システムの動作について図４に示すフローチャートを用いて説明する。利用者の携帯電話器ＴＥＬ１〜ＴＥＬｎから入退室管理装置２０に電話があると(ステップＳ１)、掛かってきた携帯電話番号さらには利用者により該携帯電話器に入力されたパスワードに従って個人認証を行う(ステップＳ２)。入退室管理情報記憶手段２４には、例えば図３の(ａ)に示すようなこのシステム利用者の携帯電話番号やパスワードが個人認証情報として予め登録されており、これとの照合を行う。なお個人認証情報は、図３の(ａ)に示すように、システム利用者の各ドアの解錠許可ひいては該ドアのある部屋への入退室許可の情報(○×で示された部分)を含んでいてもよい。
【００１５】
ステップＳ２で個人認証がＯＫであれば、次にどのドアの解錠要求かを判定する。ここでは、各ドアを電話番号で指定する場合を示す。入退室管理情報記憶手段２４には、例えば図３の(ｂ)に示すような各ドアのドア番号(電気錠番号も含む)に設定された電話番号および例えばＡで示されている該ドアがＡＰＢ機能付きのものか否かのデータが予め記憶されている。そして図３の(ｂ)の情報を参照して携帯電話器から掛けられた電話番号がどのドアの解錠を要求しているのかを判定し(ステップＳ３)、さらに該ドアがＡＰＢ機能付きのものか否かを判定する(ステップＳ３ａ)。
【００１６】
ステップＳ３ａで、解錠要求のあったドアがＡＰＢ機能付きのものでなければ、制御手段２１から入出力インターフェース２２を介して該当するドアの電気錠(ＥＫ１１〜ＥＫＮ１)に解錠信号ＯＰＳを所定期間(Ｔ１)出力して(ステップＳ４)、その間該ドア(Ｄ１１〜ＤＮ１)を解錠する(ステップＳ５)。
【００１７】
一方ステップＳ３ａで、解錠要求のあったドアが例えば部屋Ｎ２のようなＡＰＢ機能付きの部屋のドアであれば、まず該利用者が該部屋内にいるか否かを判定する(ステップＳ６)。入退室管理情報記憶手段２４は、例えば図３の(ｃ)に示すような、携帯電話番号で特定されている利用者がいる部屋の部屋番号に”１”としてビットを立てておく、利用者の所在を示す情報を含む。なお、ドア番号を部屋番号も判定可能なように設定しておけば携帯電話番号とドア番号のテーブルとしてもよい。さらに後述するように１つの部屋に複数のドアがある場合には、図３の(ｄ)に示すように部屋番号とドア番号との対応関係を示すテーブルを設けておく。
【００１８】
そしてステップＳ６で、図３の(ｃ)を参照して該利用者の該部屋の部分にフラグ”１”が立っていなければ該部屋の外にいて入室のための解錠要求であると判定し、制御手段２１から該当するドアの電気錠、例えば電気錠ＥＫＮ２のために、入室用信号線ＳＬＩＮを介して入室用解錠信号ＯＰＩＮＳを所定期間(Ｔ２)出力する(ステップＳ７)。そして所定期間(Ｔ２)内に、部屋Ｎ２の入室側スイッチＳＮ２ＩＮが利用者により操作されてＯＮされれば、スイッチＳＮ２ＩＮはＯＮ状態を所定期間(Ｔ３)保持し、これにより電気錠ＥＫＮ２が入室用解錠信号ＯＰＩＮＳが入力されて解錠状態になる(ステップＳ８)。なお、電気錠ＥＫＮ２の解錠状態は入室用解錠信号ＯＰＩＮＳがなくなる(ＯＦＦ)時点で実質的には終了する。
【００１９】
電気錠のうち少なくともＡＰＢ機能付きの部屋の電気錠ＥＫＮ２には、ドアＤＮ２が戸開されたことを検出する例えば接点やセンサ等からなる戸開検出素子(図示省略)が設けられている(電気錠ＥＫＮ２とは別に設けられていてもよい)。そして所定期間(Ｔ４)の間に戸開検出素子でドアＤＮ２の戸開が検出され、入出力インターフェース２２を介して戸開検出素子から制御手段２１へ戸開検出信号があれば(ステップＳ９，Ｓ１０)、図３の(ｃ)の該当する利用者の該当する部屋のフラグを”１”(在室を意味する)にする(ステップＳ１１)。
【００２０】
一方ステップＳ６で、図３の(ｃ)を参照して該利用者の該部屋の部分にフラグ”１”が立っていれば該部屋内にいて退室のための解錠要求であると判定し、制御手段２１から該当するドアの電気錠、例えば電気錠ＥＫＮ２のために、退室用信号線ＳＬＯＵＴを介して退室用解錠信号ＯＰＯＵＴＳを所定期間(Ｔ２)出力する(ステップＳ１２)。そして入室側と同様に、所定期間(Ｔ２)内に、部屋Ｎ２の退室側スイッチＳＮ２ＯＵＴが利用者により操作されてＯＮされれば、スイッチＳＮ２ＯＵＴはＯＮ状態を所定期間(Ｔ３)保持し、これにより電気錠ＥＫＮ２が退室用解錠信号ＯＰＯＵＴＳが入力されて解錠状態になる(ステップＳ１３)。そして所定期間(Ｔ４)の間に戸開検出素子でドアＤＮ２の戸開が検出され、入出力インターフェース２２を介して戸開検出素子から制御手段２１へ戸開検出信号があれば(ステップＳ１４，Ｓ１５)、図３の(ｃ)の該当する利用者の該当する部屋のフラグを”０”(室内に不在を意味する)にする(ステップＳ１６)。
【００２１】
なお、上記各所定期間(Ｔ１，Ｔ２，Ｔ３，Ｔ４)は、解錠されたドアを開いて利用者が入室または退室したことが正確に検出可能なように、各装置の設置状況に合わせてそれぞれ適当な値を設定すればよい。また、スイッチＳＮ２ＩＮ、ＳＮ２ＯＵＴは例えば、操作されてＯＮ状態になると、入室用解錠信号ＯＰＩＮＳあるいは退室用解錠信号ＯＰＯＵＴＳがなくなるまではこれらの信号でＯＮ状態が保持される保持機能を備えたスイッチとしてもよいし、あるいは、スイッチＳＮ２ＩＮ、ＳＮ２ＯＵＴは利用者の操作に従った長さでＯＮするものとし、電気錠ＥＫＮ２が解錠信号が入力されると例えば所定期間(Ｔ３)の間、解錠状態を保持するものとしてもよい。
【００２２】
また、実際に部屋の外にいるのか中にいるのかを検出する利用者検出手段であるスイッチＳＮ２ＩＮ、ＳＮ２ＯＵＴは、利用者により操作されるものであったが、図５に示すドア付近の部屋の外側に設けられて入室しようとるす人を検出する入室側人検知センサＳＥＩＮと、ドア付近の部屋の内側に設けられて退室しようとるす人を検出する退室側人検知センサＳＥＯＵＴと、これらが人を検出した時にそれぞれ、上述のスイッチＳＮ２ＩＮ、ＳＮ２ＯＵＴと同等の動作をする、入室用信号線ＳＬＩＮ、退室用信号線ＳＬＯＵＴに挿入された入室側リレーＲＥＩＮ、退室側リレーＲＥＯＵＴを設けて、利用者の実際の所在をセンサで検出するようにしてもよい。
【００２３】
さらに、図５の人検知センサＳＥＩＮ、ＳＥＯＵＴの代わりに、図６に示すようなドアＤの入室側ノブＤＮＩＮと退室側ノブＤＮＯＵＴを分離させて独立に動くように構成し、これらのノブが利用者により操作されたことを、それぞれのノブに設けられた突起部ＮＴの動きから検出する入室側ドア操作センサＳＥＤＩＮ、退室側ドア操作センサＳＥＤＯＵＴを設けて、これらがノブの操作を検出した時に、入室側リレーＲＥＩＮ、退室側リレーＲＥＯＵＴをそれぞれ上記と同様にしてＯＮさせるようにしてもよい。
【００２４】
なお図示は省略したがいずれの場合においても、戸開されたことを検出する例えば接点やセンサ等からなる戸開検出素子(図示省略)を設け、戸開検出素子でドアの戸開が検出された場合に、入出力インターフェース２２を介して戸開検出素子から制御手段２１へ戸開検出信号を確認のための信号として送る。
【００２５】
また、図３の(ａ)を参照して行う個人認証はセキュリティの向上のためのもので、必須のものではなく、図３の(ｂ)の各ドアに割り振られた電話番号を知っている事実から、該利用者を正当な利用者とみなしてもよい。また各利用者の各部屋への在室、不在は必ずしも図３の(ｃ)のようなテーブルにする必要はなく、利用者が電話を掛けたことにより得られる利用者の携帯電話番号と該利用者がどの部屋に居ることが入退室管理情報記憶手段２４に入退室に従って逐次、記憶されていればよい。
【００２６】
また、説明を分かり易くするために上記実施の形態ではＡＰＢ機能を設けた部屋を部屋Ｎ２の１部屋だけで説明したが、部屋Ｎ２と同様な構成(入室側スイッチＳＮ２ＩＮ、退室側スイッチＳＮ２ＯＵＴ、電気錠ＥＫＮ２、入室用信号線ＳＬＩＮ、退室用信号線ＳＬＯＵＴ、入室用解錠信号ＯＰＩＮＳ、退室用解錠信号ＯＰＯＵＴＳ、戸開検出素子、戸開検出信号等)をそれぞれに設ければ、所望の数の部屋をＡＰＢ機能付きのものとして入退室管理が行える。
【００２７】
さらに例えば部屋Ｎ２が併設して２つ以上のドアを備えていた場合のＡＰＢ機能であるグローバルＡＰＢ機能を持たせるには、それぞれのドアに上述の入室側スイッチ、退室側スイッチ、電気錠、入室用信号線、退室用信号線、入室用解錠信号、退室用解錠信号、戸開検出素子、戸開検出信号等を設け、かつ図３の(ｄ)に示すドア／部屋対応情報において、部屋番号に対して該部屋に設けられた全てのドア番号を記憶させておく。そして、図３の(ｃ)に示す利用者所在情報を書き換える際に、(ｄ)に示すドア／部屋対応情報を参照して、ドアと部屋との対応を考慮して利用者の居る部屋を判定して書き換えを行うようにすればよい。以上のことは、以下の実施の形態でも同様である。
【００２８】
実施の形態２．
また、上記の実施の形態では解錠要求の解錠ドア指定情報を、各ドアに異なる電話番号が割り振られていて解錠要求をするドアの電話番号に電話をするようにしたが、利用者が本システムの共通の電話番号に電話した後、解錠を要求するドア番号を携帯電話器から入力するようにしてもよい。この場合、図３の(ｂ)に示すドア指定情報は、右側の電話番号のない図７に示すものとなる。そして動作においては、図４のステップＳ３の解錠するドアの判定において、利用者の携帯電話器ＴＥＬ１〜ＴＥＬｎからドア番号が入力されるとこれを図７で確認して解錠するドアを判定する。その他の動作は基本的に上記実施の形態と同様である。
【００２９】
また、利用者の携帯電話器ＴＥＬ１〜ＴＥＬｎからドア番号の代わりに該ドアの設けられた部屋番号を入力するようにしてもよい。これは部屋とドアが１対１で対応している場合にのみ成立する。この場合には例えば、入力された部屋番号を図３の(ｄ)に示すドア／部屋対応情報でドア番号に置き換えればよい。また、部屋とドアが１対１で対応しているという条件から、上記実施の形態のドア番号を全て部屋番号として上記と同様の制御を行えばよい。このようにすることにより、各ドアに電話番号を割り振る必要がなくなる。
【００３０】
実施の形態３．
また、上記各実施の形態では解錠要求を利用者が携帯電話器から入退室管理装置へ電話をして行っていたが、これを電話番号の代わりにＵＲＬを使用してインターネット上で行うようにしてもよい。この場合には図の解錠ドア指定情報を、各ドアに異なる電話番号が割り振られていて解錠要求をするドアの電話番号に電話をするようにしたが、利用者が本システムの共通の電話番号に電話した後、解錠を要求するドア番号を携帯電話器から入力するようにしてもよい。この場合、図３の入退室管理装置２０は電話機能２１ｂの代わりにインターネット機能２１ｃを備え、公衆網インターフェース２３もインターネットインターフェースの機能を備えたものとする。そして各ドアには異なるＵＲＬが割り振られ、利用者は携帯電話器ＴＥＬ１〜ＴＥＬｎから解錠要求を行うドアに割り振られたＵＲＬにアクセスする。
【００３１】
図８には、この場合の入退室管理情報記憶手段２４に格納された各種入退室管理用の情報の例を示す。(ａ)の個人認証・入退室許可情報は、携帯電話番号が各利用者の携帯電話器ＴＥＬ１〜ＴＥＬｎのインターネット上のアドレス(ＩＰアドレス)となっており、(ｂ)のドア指定情報は電話番号が各ドアに割り振られＵＲＬとなっており、(ｃ)の利用者所在情報は各利用者がＵＲＬで特定されている。また各ドアに割り振られＵＲＬのためのＷＷＷサーバ２５を入退室管理装置２０に設けた。なおＷＷＷサーバ２５はインターネット上すなわち公衆網３０のどこあってもよい。
【００３２】
そして動作においては、図４のステップＳ１〜Ｓ３ａが以下のようになる。利用者の携帯電話器ＴＥＬ１〜ＴＥＬｎからいずれかのＵＲＬにアクセスがあると、アクセスをした利用者の携帯電話器のアドレスさらには利用者により該携帯電話器に入力されたパスワードに従って個人認証を行う。入退室管理情報記憶手段２４には、例えば図８の(ａ)に示すようなこのシステム利用者のアドレスやパスワードが個人認証情報として予め登録されており、これとの照合を行う。
【００３３】
そして個人認証がＯＫであれば、次にどのドアの解錠要求かを判定する。ここでは、各ドアをＵＲＬで指定する場合を示す。入退室管理情報記憶手段２４には、例えば図８の(ｂ)に示すような各ドアのドア番号(電気錠番号も含む)に設定されたＵＲＬおよび例えばＡで示されている該ドアがＡＰＢ機能付きのものか否かのデータが予め記憶されている。そして図８の(ｂ)の情報を参照して携帯電話器からアクセスされたＵＲＬがどのドアの解錠を要求しているのかを判定し、さらに該ドアがＡＰＢ機能付きのものか否かを判定する。以降は基本的に図４のフローチャートに従って動作が行われる(電話番号はＵＲＬに置き換わる)。これによりインターネット上でも同様に実現可能となる。
【００３４】
実施の形態４．
また、上記の実施の形態では解錠要求の解錠ドア指定情報を、各ドアに異なるＵＲＬが割り振られていて解錠要求をするドアのＵＲＬにアクセスするようにしたが、入退室管理装置２０がインターネット上に本システムのためのホームページを設け(ＷＷＷサーバ２５に設けてもよい)、利用者はこのホームページのＵＲＬに共通にアクセスするようにし、例えば上述の利用者の個人認証処理の後に、ホームページ上で、携帯電話器にイラストマップが表示されるようにして、該イラストマップ上に解錠するドアの指定の入力を利用者に促す(解錠ドア指定情報入力要求手段)ようにしてもよい。この場合、図８の(ｂ)に示すドア指定情報は、右側のＵＲＬのないものとなる。
【００３５】
そして動作においては、利用者の個人認証処理の後(図４のステップＳ３の解錠ドア判定)において、ホームページ上で、アクセスしてきた携帯電話器ＴＥＬ１〜ＴＥＬｎに例えば建物内の部屋やドアの配置が示された絵地図等からなるイラストマップが表示されるようにし、これに解錠するドアの指定の入力を行うことを利用者に促すし、利用者からの入力に従って、解錠するドアを判定する。なお、ホームページ上の解錠するドアの指定入力は図８の(ｂ)のドア番号(電気錠番号)に対応させるようにする。その他の動作は基本的に上記実施の形態と同様である。このようにすることにより、各ドアにＵＲＬを割り振る必要がなくなる。
【００３６】
実施の形態５．
また、部屋の中に部屋がある等の複雑な構造の建物においてグローバルＡＰＢ機能を持たせる場合について説明する。図９はグローバルＡＰＢ機能を持たせる場合の部屋の構成の一例を示す。部屋Ｎ２は部屋Ｎ１内にあり、部屋Ｎ１にはドアＤＮ１１、ＤＮ１２、部屋Ｎ２にはドアＤＮ２１、ＤＮ２２が設けられている。そして各ドアには、電気錠ＥＫＮ１１〜ＥＫＮ２２、入室側スイッチＳＮ１１ＩＮ〜ＳＮ２２ＩＮ、退室側スイッチＳＮ１１ＯＵＴ〜ＳＮ２２ＯＵＴがそれぞれ設けられている。このような構成の部屋の入退室管理の場合には、入退室管理情報記憶手段２４に図３や図８の(ｄ)のドア／部屋対応情報の代わりに図１０に示すようなドア／部屋対応情報を格納しておく。図１０は各ドアの入室側と退室側の両側の部屋の情報がドア番号と部屋番号とで示されている。従って、部屋Ｎ２のドアＤＮ１２、ＤＮ２２のいずれかから退室した場合には、部屋Ｎ１内にいると判定され、図３や図８の(ｃ)の利用者所在情報はこのドア／部屋対応情報に基づいて書き換えられる。なお図１０のドア／部屋対応情報により、同一の部屋にある複数のドアがそれぞれ異なる部屋または場所へいくためのドアである構造の建物にも対応可能である。
【００３７】
実施の形態６．
また、上記各実施の形態では、ドアの電気錠の制御を行う場合について説明したが、各ドアが電動等の自動開閉ドアである場合には、例えば図２の部屋Ｎ２の電気錠ＥＫＮ２を図１１に示すように自動開閉ドア(図示せず)の自動ドア制御部ＥＤＣに換える。そして自動ドア制御部ＥＤＣへ、入室用信号線ＳＬＩＮから入室用戸開(解錠)信号ＯＰＤＩＮＳ、退室用信号線ＳＬＯＵＴから退室用戸開(解錠)信号ＯＰＤＯＵＴＳがそれぞれ入室側スイッチＳＮ２ＩＮ、退室側スイッチＳＮ２ＯＵＴがＯＮ状態の間出力されるようにする。自動ドア制御部ＥＤＣは戸開(解錠)信号がある間、電動自動ドアを戸開する。なお図示は省略したが、戸開されたことを検出する例えば接点やセンサ等からなる戸開検出素子(図示省略)を設け、戸開検出素子でドアの戸開が検出された場合に、入出力インターフェース２２を介して戸開検出素子から制御手段２１へ戸開検出信号を確認のための信号として送る。これにより自動開閉ドアが設けられた部屋の入退室管理も行える。
【００３８】
実施の形態７．
また、上記各実施の形態では携帯電話器を使用して公衆網を介して通信が行われていたが、この発明はこれに限定されるものではなく、携帯電話器の代わりに無線端末を使用し、これらの無線端末と入退室管理装置との間で無線通信を行うようにして実施することも可能である。この場合のこの発明による入退室管理システムの構成を図１２に示す。図１２において図２と同一もしくは相当部分は同一符号で示す。制御手段２１０は、コンピュータ機能２１０ａ、無線機能２１０ｄを備えたコンピュータ等で構成されたもので、システム全体の制御を行う。無線送受信器２７は制御手段２１０の制御下で利用者が携帯する無線端末ＷＬＴ１〜ＷＬＴｎと無線通信を行う。
【００３９】
そして動作においては、図４のステップＳ３の解錠するドアの判定において、利用者の無線端末ＷＬＴ１〜ＷＬＴｎからドア番号が入力されるとこれを例えば図７に示すドア指定情報で確認して解錠するドアを判定する。その他の動作は基本的に上記各実施の形態と同様である。なお、図４のステップＳ２の利用者の個人認証処理については、無線端末ＷＬＴ１〜ＷＬＴｎと入退室管理装置２０との間の無線通信システムに携帯電話番号やアドレス等に相当するものがなければ、例えば図３や図８の(ａ)の個人認証・入退室許可情報のパスワードを使用する。これにより一般的な無線通信システムを利用しても実施することができる。
【００４０】
実施の形態８．
さらに上記各実施の形態では、例えば制御手段２１から入室用信号線ＳＬＩＮに入室用解錠信号ＯＰＩＮＳが出力され、入室用信号線ＳＬＩＮに挿入された入室側スイッチＳＮ２ＩＮ(図２、図１１、図１２)、入室側リレーＲＥＩＮ(図５)がＯＮされた時に電気錠ＥＫＮ２に解錠信号ＯＰＩＮＳが送られるようにしているが、入室側スイッチＳＮ２ＩＮ、入室側人検知センサＳＥＩＮ(図５)、入室側ドア操作センサＳＥＤＩＮ(図６)等からの利用者の検出信号を入出力インターフェース２２を介して制御手段２１に送り、制御手段２１がこの検出信号を受けた時に、図３の(ｃ)や図８の(ｃ)の利用者所在情報との一致を確認して解錠信号ＯＰＳを電気錠ＥＫＮ２に送るようにしてもよい(退室側も同様)。
【００４１】
このような場合の構成を図１３に示す。アンチパスバック機能による厳重なセキュリティが掛けられた部屋Ｎ２のドアＤＮ２の電気錠ＥＫＮ２には他の部屋と同様に解錠信号ＯＰＳを供給する信号線ＳＬが接続されている。そして例えば入室側スイッチＳＮ２ＩＮ、退室側スイッチＳＮ２ＯＵＴからは利用者の検出信号が送られてくる。その他の部分は基本的に上記実施の形態のものと同じである。
【００４２】
次に動作について図１４に示すフローチャートを用いて簡単に説明する。ステップＳ１〜ステップＳ５までは上記実施の形態のものと同じである。ステップＳ３ａで、解錠要求のあったドアが例えば部屋Ｎ２のようなＡＰＢ機能付きの部屋のドアであれば、まず該利用者が該部屋内にいるか否かを判定する(ステップＳ６)。ここでは利用者の操作による入室側スイッチＳＮ２ＩＮ又は退室側スイッチＳＮ２ＯＵＴから制御手段２１に送られてくる検出信号により判断する。そして該利用者が該部屋内におらず入室側スイッチＳＮ２ＩＮが操作されてこれから検出信号を受けた場合には、図３の(ｃ)を参照して該利用者の該部屋の部分のフラグが”０”であることを確認し(ステップＳ２１)、検出された利用者の所在と記憶されている所在が一致した時には、該当するドアの電気錠すなわち電気錠ＥＫＮ２のために、信号線ＳＬを介して解錠信号ＯＰＳを出力する(ステップＳ２２)。これにより電気錠ＥＫＮ２が解錠状態になり、さらに例えば所定期間(Ｔ４)の間に戸開検出素子でドアＤＮ２の戸開が検出され、入出力インターフェース２２を介して戸開検出素子から制御手段２１へ戸開検出信号があれば(ステップＳ２３，Ｓ２４)、該利用者が該部屋に入ったと認識し、図３の(ｃ)の該当する利用者の該当する部屋のフラグを”１”(在室を意味する)にする(ステップＳ２５)。
【００４３】
一方、ステップＳ６で、該利用者が該部屋内に在室しており退室側スイッチＳＮ２ＯＵＴが操作されてこれから検出信号を受けた場合には、図３の(ｃ)を参照して該利用者の該部屋の部分のフラグが”１”であることを確認し(ステップＳ２６)、検出された利用者の所在と記憶されている所在が一致した時には、該当するドアの電気錠すなわち電気錠ＥＫＮ２のために、信号線ＳＬを介して解錠信号ＯＰＳを出力する(ステップＳ２７)。これにより電気錠ＥＫＮ２が解錠状態になり、さらに所定期間(Ｔ４)の間に戸開検出素子でドアＤＮ２の戸開が検出され、入出力インターフェース２２を介して戸開検出素子から制御手段２１へ戸開検出信号があれば(ステップＳ２８，Ｓ２９)、図３の(ｃ)の該当する利用者の該当する部屋のフラグを”０”(室内に不在を意味する)にする(ステップＳ３０)。なお、ステップＳ２１とＳ２６で、検出された利用者の所在と記憶されている所在が一致しない場合には、解錠信号は出力されない。このようにしても、同様な効果が得られる。
【００４４】
また、入室側スイッチＳＮ２ＩＮ、退室側スイッチＳＮ２ＯＵＴは、図５の入室側と退室側の人検知センサＳＥ、図６の入室側と退室側のドア操作センサＳＥＤであってもよい。さらに、実施の形態２〜８を本実施の形態のようにして実施してもよく、この発明は上記実施の形態の可能な組合せを含むことは言うまでもない。
【図面の簡単な説明】
【００４５】
【図１】この発明の入退室管理システムを設置した建物内の構成の一例を示す図である。
【図２】この発明の一実施の形態による入退室管理システムの構成を示す図である。
【図３】この発明による入退室管理システムの入退室管理情報記憶手段に格納された各種入退室管理用の情報の一例を示す図である。
【図４】この発明の一実施の形態による入退室管理システムの動作を示すフローチャートである。
【図５】この発明による実際の利用者の所在を検出するための利用者検出手段の他の例を示す図である。
【図６】この発明による実際の利用者の所在を検出するための利用者検出手段のさらに別の例を示す図である。
【図７】この発明の別の実施の形態による入退室管理システムにける入退室管理情報記憶手段に記憶されたドア指定情報の一例を示す図である。
【図８】この発明の別の実施の形態による入退室管理システムにおける入退室管理情報記憶手段に格納された各種入退室管理用の情報の一例を示す図である。
【図９】この発明の別の実施の形態による入退室管理システムを設置する建物内の構成の一例を示す図である。
【図１０】図９の入退室管理システムにおける入退室管理情報記憶手段に記憶されたドア／部屋対応情報の一例を示す図である。
【図１１】この発明の自動開閉ドアを対象とした実施の形態による入退室管理システムにける変更される構成の一例を示す図である。
【図１２】この発明のさらに別の一実施の形態による入退室管理システムの構成を示す図である。
【図１３】この発明のさらに別の一実施の形態による入退室管理システムの構成を示す図である。
【図１４】図１３の実施の形態による入退室管理システムの動作を示すフローチャートである。
【符号の説明】
【００４６】
１１  階段、１２  エレベータ、１３  トイレ、１４  通路、２０  入退室管理装置、２１，２１０  制御手段、２１ａ，２１０ａ  コンピュータ機能、２１ｂ  電話機能、２１ｃ  インターネット機能、２２  入出力インターフェース、２３  公衆網インターフェース、２４  入退室管理情報記憶手段、２５  ＷＷＷサーバ、２７  無線送受信器、３０  公衆網、２１０ｄ  無線機能、Ｄ，Ｄ１１〜ＤＮ２，ＤＮ１１〜ＤＮ２２  ドア、ＤＮＩＮ  入室側ノブ、ＤＮＯＵＴ  退室側ノブ、ＥＤＣ  自動ドア制御部、ＥＫ１１〜ＥＫＮ２，ＥＫＮ１１〜ＫＮ２２  電気錠、Ｎ１，Ｎ２  部屋、ＮＴ  突起部、ＯＰＤＩＮＳ  入室用戸開(解錠)信号、ＯＰＤＯＵＴＳ        退室用戸開(解錠)信号、ＯＰＩＮＳ  入室用解錠信号、ＯＰＯＵＴＳ  退室用解錠信号、ＯＰＳ  解錠信号、ＲＥＩＮ  入室側リレー、ＲＥＯＵＴ  退室側リレー、ＳＥＤＩＮ  入室側ドア操作センサ、ＳＥＤＯＵＴ  退室側ドア操作センサ、ＳＥＩＮ  入室側人検知センサ、ＳＥＯＵＴ  退室側人検知センサ、ＳＬ  信号線、ＳＬＩＮ  入室用信号線、ＳＬＯＵＴ  退室用信号線、ＳＮ２ＩＮ，ＳＮ１１ＩＮ〜ＳＮ２２ＩＮ  入室側スイッチ、ＳＮ２ＯＵＴ，ＳＮ１１ＯＵＴ〜ＳＮ２２ＯＵＴ  退室側スイッチ、ＴＥＬ１〜ＴＥＬｎ  携帯電話器、ＷＬＴ１〜ＷＬＴｎ  無線端末。
【図１】
2006161473.tif 000003
【図２】
2006161473.tif 000004
【図３】
2006161473.tif 000005
【図４】
2006161473.tif 000006
【図５】
2006161473.tif 000007
【図６】
2006161473.tif 000008
【図７】
2006161473.tif 000009
【図８】
2006161473.tif 000010
【図９】
2006161473.tif 000011
【図１０】
2006161473.tif 000012
【図１１】
2006161473.tif 000013
【図１２】
2006161473.tif 000014
【図１３】
2006161473.tif 000015
【図１４】
2006161473.tif 000016